(57)【要約】【課題】  高強度な建築物を簡便に建築できること。【解決手段】  建築ブロック１００は、開口方向の長さＨがそれぞれ同一であっていずれも直方体形状である外筒体１０１および３つの中筒体１０２により構成され、中筒体１０２はその開口方向をそろえて平行に位置しつつ外筒体１０１から同方向に一定の長さ分ｈだけずれて外筒体１０１に内接し、外筒体１０１の肉厚ｔ１はどの面でも同じであって、中筒体１０２はこの肉厚の倍の間隔を隔てて配置される。建築ブロック１００は、この構成により、運搬や積み上げが容易となり、また、建築ブロックが互いに密に連設嵌合可能であって、建築ブロック１００自体が壁となり柱となり筋交となる。【選択図】        図１
2004278290.tif 000002
【特許請求の範囲】
【請求項１】
開口方向の長さがそれぞれ同一であっていずれも直方体形状である外筒体および複数の中筒体により構成され、複数の中筒体はその開口方向をそろえて平行に位置しつつ外筒体から同方向に一定の長さ分だけずれて外筒体に内接し、外筒体の肉厚はどの面でも同じであって、中筒体はこの肉厚の倍の間隔を隔てて配置されたことを特徴とする建築ブロック。
【請求項２】
開口方向の長さがそれぞれ同一であっていずれも直方体形状の外筒体および複数の中筒体により構成され、複数の中筒体はその開口方向をそろえて平行に位置しつつ外筒体から同方向に一定の長さ分だけずれて外筒体に内接し、このずれにより形成される凸部と凹部が、同形の建築ブロックの差込方向および差込位置に依存せず嵌合し合うように構成されたことを特徴とする建築ブロック。
【請求項３】
中筒体と中筒体の間に、外筒体からはみ出ない間仕切体を設けたことを特徴とする請求項１または２に記載の建築ブロック。
【請求項４】
中筒体の中空部分に、当該中空部分を塞ぐ間仕切体を設けたことを特徴とする請求項１、２または３に記載の建築ブロック。
【請求項５】
建築ブロックを積み重ねた際に開口方向に一直線に並ぶ孔であって、当該建築ブロックを開口方向に締め付けるためのアンカーボルトを挿入可能とする孔を、前記中空部分を塞ぐ間仕切体の少なくとも一カ所に設けたことを特徴とする請求項４に記載の建築ブロック。
【請求項６】
請求項１〜５のいずれか一つに記載の建築ブロックの外形と同じ外形を備えたことを特徴とする建築ブロック。
【請求項７】
複数の中筒体をいずれも同形としてその肉厚もどの面でも同じとした請求項１、２または３に記載の建築ブロックを、
建築ブロックの開口方向から見た場合に長辺を形成する一対の辺で、中筒体を構成する一面と外筒体を構成する一面を内接させたまま切り分けた長辺ユニット板と、
建築ブロックの開口方向から見た場合に外周の短辺を形成する一対の辺で、中筒体を構成する一面と外筒体を構成する一面を内接させたまま切り分けた短辺ユニット板と、
建築ブロックから長辺ユニット板と短辺ユニット板との切り分けにより残った間仕切ユニット板と、
により構成したことを特徴とする建築ブロック用ユニット板。
【請求項８】
間仕切ユニット板を、外筒体の一面を構成する面を背向にして短辺ユニット板を二枚張り合わせた形状としたことを特徴とする請求項７に記載の建築ブロック用ユニット板。
【請求項９】
長辺ユニット板のうち外筒体を構成する部分と中筒体を構成する部分との前記開口方向の接合端部をスライド溝とし、短辺ユニット板および間仕切ユニット板の前記開口方向の端部をスライド溝に嵌合する突条としたことを特徴とする請求項７または８に記載の建築ブロック用ユニット板。
【請求項１０】
長辺ユニット板のうち外筒体を構成する部分と中筒体を構成する部分との前記開口方向の接合端部、短辺ユニット板の前記開口方向の端部、および、間仕切ユニット板の前記開口方向の端部に、スライド溝または突条を設け、
建築ブロックを組み立てた場合に当該スライド溝または突条に対応する位置に、当該スライド溝または突条と差し込みあわせて嵌合する突条またはスライド溝を設けたことを特徴とする請求項７または８に記載の建築ブロック用ユニット板。
【請求項１１】
平板またはＴ字具を長辺ユニット板、短辺ユニット板、または、間仕切ユニット板に接合することにより突条を形成したことを特徴とする請求項１０に記載の建築ブロック用ユニット板。
【請求項１２】
スライド溝および突条によって長辺ユニット板、短辺ユニット板、および、間仕切ユニット板が把持され、長辺ユニット板、短辺ユニット板、および、間仕切ユニット板が前記開口方向への抜き差し以外には移動できないように当該スライド溝および突条を構成したことを特徴とする請求項９、１０または１１に記載の建築ブロック用ユニット板。
【請求項１３】
スライド溝の終端部または突条の終端部に突条の進入を止める係止体を設けたことを特徴とする請求項９、１０または１１に記載の建築ブロック用ユニット板。
【請求項１４】
請求項７〜１３のいずれか一つに記載の建築ブロック用ユニット板の外形と同じ外形を備えたことを特徴とする建築ブロック用ユニット板。
【請求項１５】
請求項１〜６のいずれか一つに記載の建築ブロックを積み重ねて間仕切その他の壁体を形成した場合に壁体上部を覆う建築ブロック用被覆部材であって、
下部は、建築ブロックにおける外筒体と中筒体とのずれにより形成された凹と同形として壁体上部の凸に嵌合する形状とし、
上部には、壁体の開口方向に通されるアンカーボルト用の挿入孔と、当該アンカーボルトに螺合させその回動により壁体を床へ押しつける締付ナット用のざぐりと、を設け、
さらに、上部内側の長手方向に配線収納用の溝を設けたことを特徴とする建築ブロック用被覆部材。
【請求項１６】
請求項１〜６のいずれか一つに記載の建築ブロックを積み重ねて間仕切その他の壁体を形成した場合に壁体下部にあてがう建築ブロック用台座体であって、
上部は、建築ブロックにおける外筒体と中筒体とのずれにより形成された凹に嵌合する凸形状とし、
下部は、当該凸形状を立設させる基礎体であって、少なくとも床に接する面を平とし、
当該基礎体に、アンカーボルトを通すための挿入孔と、床に建築ブロック用台座体を固着するための釘用ないしネジ用のガイド孔と、を設け、
さらに、基礎体の上部長手方向に配線収納用の空間を設けたことを特徴とする建築ブロック用台座体。
【請求項１７】
請求項１〜６のいずれか一つに記載の建築ブロックを積み重ねて間仕切その他の壁体を形成した場合に開口方向に挿入されたアンカーボルトを介して建築ブロックを相互に圧接させる建築ブロック用圧接具であって、
断面が中空で左右対称の略菱形形状であり、左右の端部は、稜線を軸に折れ曲がり可能に構成され、かつ、建築ブロック内壁に止着する止着手段を設け、
上下の面の中央にはアンカーボルト用の挿入孔を設け、
アンカーボルトに螺合させた位置決めナットに続いて、前記挿入孔を通じて建築ブロック用圧接具自身を挿入して位置決めナットに係止させ、さらに、締付用ナットをアンカーボルトに螺合して建築ブロック用圧接具に当接させ、この締付用ナットをさらに回動することにより、止着手段を建築ブロックに圧着させつつ当該建築ブロックを締付用ナットの進行方向に圧接させる構造としたことを特徴とする建築ブロック用圧接具。
【請求項１８】
請求項１〜６のいずれか一つに記載の建築ブロックを積み重ねて間仕切その他の壁体を構築する壁体構築工法であって、
建築ブロックを積み重ねて所望の大きさの壁体を形成する壁体形成工程と、
壁体の開口方向に、建築ブロックを相互に圧接させる際に用いる支軸を挿入する支軸挿入工程と、
支軸に、建築ブロック用圧接具を係止させる係止具を取り付ける係止具取付工程と、
断面が中空で左右対称の略菱形形状である建築ブロック用圧接具であって、左右の端部が、稜線を軸に折れ曲がり可能に構成され、かつ、当該左右の端部に、建築ブロック内壁に止着する止着手段を設け、上下の面の中央には支軸を通す挿入孔を設けた建築ブロック用圧接具を、支軸に通して係止具に当接させる圧接具挿入工程と、
支軸に、建築ブロック用圧接具を挟む形で締付具を取り付ける締付具取付工程と、
締付具を係止具方向に移動して、止着手段を建築ブロックに圧着させつつ当該建築ブロックを係止具側に嵌合している建築ブロックに圧接させる圧接工程と、
を含んだことを特徴とする壁体構築工法。
【請求項１９】
請求項１〜６のいずれか一つに記載の建築ブロックを積み重ねて形成した壁体を、天井ボードを介して天井スラブへ固定する壁体固定工法であって、
建築ブロックを積み重ねて床から天井ボード手前までの高さの壁体を形成する壁体形成工程と、
５面からなる蝶番であって、４つの軸が平行に配され、中央面に対して左の２面および右の２面が対称な蝶番を、両端の面を天井スラブにあてがい、さらに、天井スラブを底辺として形成される台形の上底となる中央面を天井ボードに当接するように調整したのち、蝶番の両端の面を天井スラブに固定する蝶番固定工程と、
下方に向けて延伸した調整ボルトが取り付けられた天井用台座体を、天井ボードを挟んで蝶番の中央面に固定する天井用台座体固定工程と、
中筒体中に通されて床から立設したアンカーボルトと調整ボルトとを接合し、調整ボルトの回動により壁体が天井スラブへ所定の張力をもって固定されるように調整する壁体固定工程と、
壁体と天井ボードとの隙間を被覆ボードで覆い隠す被覆工程と、
を含んだことを特徴とする壁体固定工法。
【請求項２０】
請求項１〜６のいずれか一つに記載の建築ブロックを積み重ねて形成した壁体を、天井ボードを介して天井スラブへ固定する際に使用する当て蝶番であって、
４つの軸が平行に配された５面からなり、中央面に対して左の２面および右の２面が対称であり、
使用に際し、両端の面を天井スラブにあてがって、天井スラブを底辺として形成される台形の上底となる中央面を天井ボードに当接させて、天井ボードにかかる負荷を吸収するように高さを調整可能としたことを特徴とする当て蝶番。
【請求項２１】
施主の希望する建築物の種類ないし型を選択する建築物選択工程と、
前記建築物選択工程で選択された建築物の縮小模型に必要な、請求項１〜６のいずれか一つに記載の建築ブロックを縮小したモデルブロックまたは請求項７〜１４のいずれか一つに記載の建築ブロック用ユニット板を縮小したモデルユニット板を、施主宛に発送する発送工程と、
前記発送工程で発送されたモデルブロックまたはモデルユニット板を使用して作成された実際の縮小模型に基づいて、当該縮小模型に関する情報を入力する模型情報入力工程と、
前記模型情報入力工程で入力された情報に基づいて、実際の建築物を建築する際に必要な建築ブロックの個数または建築ブロック用ユニット板の個数、および、付帯的に必要な建築資材を決定する資材決定工程と、
前記模型情報入力工程で入力された情報に基づいて、実際の建築物の建築に必要な金額を算出する建築費算出工程と、
前記資材決定工程で決定された建築ブロックの個数または建築ブロック用ユニット板の個数、および、付帯的に必要な建築資材、並びに、前記建築費算出工程で算出された金額を、施主宛に通知する通知工程と、
を含んだことを特徴とする建築見積方法。
【請求項２２】
コンピュータを、
施主の希望する建築物の種類ないし型を選択する建築物選択手段と、
前記建築物選択手段により選択された建築物の縮小模型に必要な、請求項１〜６のいずれか一つに記載の建築ブロックを縮小したモデルブロックまたは請求項７〜１４のいずれか一つに記載の建築ブロック用ユニット板を縮小したモデルユニット板を、施主宛に発送する発送手段と、
前記発送手段により発送されたモデルブロックまたはモデルユニット板を使用して作成された実際の縮小模型に基づいて、当該縮小模型に関する情報を入力する模型情報入力手段と、
前記模型情報入力手段により入力された情報に基づいて、実際の建築物を建築する際に必要な建築ブロックの個数または建築ブロック用ユニット板の個数、および、付帯的に必要な建築資材を決定する資材決定手段と、
前記模型情報入力手段により入力された情報に基づいて、実際の建築物の建築に必要な金額を算出する建築費算出手段と、
前記資材決定手段により決定された建築ブロックの個数または建築ブロック用ユニット板の個数、および、付帯的に必要な建築資材、並びに、前記建築費算出手段により算出された金額を、施主宛に通知する通知手段として機能させるための建築見積プログラム。
【発明の詳細な説明】
【技術分野】
【０００１】
本発明は、建築ブロック、建築ブロック用ユニット板、建築ブロックを用いる際に必要な部材、建築見積方法および建築見積プログラムに関し、特に、家屋などの建築物を簡便に構築しうる建築ブロックおよび建築ブロック用ユニット板、建築ブロックを用いる際に必要な部材、建築見積方法および建築見積プログラムに関する。
【背景技術】
【０００２】
従来、家屋などの建築物を建てる場合には、依頼主（施主）は建築設計事務所（施工主側）と打合せをして所望の建築物の構造や外観を煮詰めていた。また、このような打合せをしないで、建売家屋を購入することによって自分に合った建築物を購入していた。
【０００３】
【特許文献１】特開２００１−１６４６７７号公報
【特許文献２】特開２０００−３０３５８８号公報
【発明の開示】
【発明が解決しようとする課題】
【０００４】
しかしながら、従来の技術では以下の問題点があった。
家を建てる場合を考えると、施主は一生の間に何度も家を建て替えるわけではないので、自分の満足のいくように、いわゆるこだわった部分も含ませて、自分の建てたい家を建てたいものである。このとき、見慣れない設計図と向かい合い、実際に建ってからでないと足を踏み入れることのできない家屋を想像しながら施工主側と話を進めるのは、不安感がつきまとい、結局は施工主側の勧めるレイアウトに落ち着いてしまうということが生じていた。
【０００５】
ここで、勧められたレイアウトが施主の趣味感に合致していればよいが、通常は、例えば、階段の巾はもう少し広い方が良かったとか、玄関から見える廊下の天井部分はもう少し高くして開放感を演出したかったとか、すこしずつ違和感を覚える。従って、施主側は、着工前の打ち合せときに施工主側からもっと十分な説明があれば良かったのにと施工主側に不満を感じてしまう場合があった。反対に、施工主側では、施主の最終決定を得て施工した家に対して新築の状態で不条理なクレームを受ける場合があった。これらはいずれも施主が施工の一連の流れを通して、建てられた家を納得できれば生じないものである。すなわち、従来では、施主の納得できる施工の仕組みを提供できていない場合があるという問題点があった。
【０００６】
また、建売家屋は、「見せて買わせる」趣向が強く、一見良くできているように思えても、購入者側に立脚していないので、１０年後２０年後まで考慮した作り込みが不十分な場合もあった。加えて、建売家屋を購入する場合は、他人の趣味感と全く合致するのは稀であるので、購入時点では割り切って購入しているものの、長年そこで住むうちに様々なところに手を加えたい場合もある。例えば、ある壁の一間分を取り除き、続き部屋に改修しようとしても、不必要な筋交や桟木が渡されていたり、一部の穴あけが不可能であったりして、壁全体を取り壊さなければならない場合があった。すなわち、従来の建築物は改修や増改築をしにくい場合があるという問題点があった。
【０００７】
また、自分で家を建てることができればこれらの問題は解決できるが、現実的には極めて困難である。例えば、柱や壁板など個々の部材が大きく、資材自体を独力では持ち上げたり立て掛けたりできないという致命的な問題点がある。また、専門知識や熟練を要するような専門工具が必要といった問題点もある。特に、建築や設計の知識がないと、強度的に不十分な欠陥家屋となりやすいという問題点もある。また、ある程度組み上げられた部材を用いる場合には、保管場所も確保しがたいという効率的もしくは経済的な問題点もある。
【０００８】
特開２００１−１６４６７７号公報や特開２０００−３０３５８８号公報に掲げる技術も単に建築ブロックという一建築資材を提供するに過ぎない。
【０００９】
本発明は上記に鑑みてなされたものであって、高強度な建築物を簡便に建築できることを目的とする。
【００１０】
また、高強度な建築物を簡便かつ経済的に構築できることを目的とする。
【００１１】
また、改修や増改築をしやすい建築物を提供することを目的とする。
【００１２】
また、これらの目的を達成するのに必要な部材を提供することを目的とする。
【００１３】
また、施主の納得できる施工の仕組みを提供することを目的とする。
【課題を解決するための手段】
【００１４】
上記の目的を達成するために、請求項１に記載の建築ブロックは、開口方向の長さがそれぞれ同一であっていずれも直方体形状である外筒体および複数の中筒体により構成され、複数の中筒体はその開口方向をそろえて平行に位置しつつ外筒体から同方向に一定の長さ分だけずれて外筒体に内接し、外筒体の肉厚はどの面でも同じであって、中筒体はこの肉厚の倍の間隔を隔てて配置されたことを特徴とする。
【００１５】
すなわち、請求項１にかかる発明は、ブロック状であるので運搬や積み上げが容易となり、また、建築ブロックが互いに隙間なく密に連設嵌合して建築ブロック自体が壁となり柱となり筋交となる。このとき、壁全体で見ると柱または筋交の太さが実質的に太くなる。これにより、高強度な建築物を簡便に建築できる。特に、外筒体と中筒体が直方体形状であるので、連設してもぐらつかず強度を高める構成となっている。また、建築物の基本単位がブロック構造であるので、改修や増改築をしやすい建築物を提供することができる。なお、中筒体の開口方向の断面外周を正方形とすると、建築ブロックを９０度に組むことができる。
【００１６】
なお、本発明でいう建築ブロックは、例えば柱や板材または壁材といった建築物ないし構造体を構成する要素を意味し、その用途は狭義の建築分野に限定されず、広く土木建築分野に利用されるものを意味する。また、直方体形状である外筒体、直方体形状である中筒体とは、外形ないし輪郭が直方体であることを意味し、中が中空で筒となった形状を意味する。
【００１７】
また、請求項２に記載の建築ブロックは、開口方向の長さがそれぞれ同一であっていずれも直方体形状の外筒体および複数の中筒体により構成され、複数の中筒体はその開口方向をそろえて平行に位置しつつ外筒体から同方向に一定の長さ分だけずれて外筒体に内接し、このずれにより形成される凸部と凹部が、同形の建築ブロックの差込方向および差込位置に依存せず嵌合し合うように構成されたことを特徴とする。
【００１８】
すなわち、請求項２にかかる発明は、ブロック状であるので運搬や積み上げが容易となり、また、建築ブロックが互いに密に隙間なく連設嵌合して建築ブロック自体が壁となり柱となり筋交となる。このとき、壁全体で見ると柱または筋交の太さが実質的に太くなる。また、水平方向および垂直方向へ建築ブロックを密に隙間なく連設できる。これにより、高強度な建築物を簡便に建築できる。特に、外筒体と中筒体が直方体形状であるので、連設してもぐらつかず強度を高める構成となっている。また、建築物の基本単位がブロック構造であるので、改修や増改築をしやすい建築物を提供することができる。また、本発明の建築ブロックは、例えば、柱や板材または壁材のように建築物ないし構造体を構成する要素を意味し、その用途は狭義の建築分野に限定されず、広く土木建築分野に利用されるものを意味する。
【００１９】
また、請求項３に記載の建築ブロックは、請求項１または２に記載の建築ブロックにおいて、中筒体と中筒体の間に、外筒体からはみ出ない間仕切体を設けたことを特徴とする。なお、外筒体からはみ出でないとは、開口方向にはみ出ないことを意味する。
【００２０】
すなわち、請求項３にかかる発明は、建築ブロックの強度を高める。特に壁に垂直な方向に対する強度を高める。
【００２１】
また、請求項４に記載の建築ブロックは、請求項１、２または３に記載の建築ブロックにおいて、中筒体の中空部分に、当該中空部分を塞ぐ間仕切体を設けたことを特徴とする。
【００２２】
すなわち、請求項４にかかる発明は、建築ブロックの強度を高める。特にねじれに対する強度を高める。また、断熱材や防音材を個々の建築ブロック内に封入することが可能となる。
【００２３】
また、請求項５に記載の建築ブロックは、請求項４に記載の建築ブロックにおいて、建築ブロックを積み重ねた際に開口方向に一直線に並ぶ孔であって、当該建築ブロックを開口方向に締め付けるためのアンカーボルトを挿入可能とする孔を、前記中空部分を塞ぐ間仕切体の少なくとも一カ所に設けたことを特徴とする。
【００２４】
すなわち、請求項５にかかる発明は、根太と梁との間に通すアンカーボルトや柱、支軸を保持し、建築ブロックを相互に強固に接合させることが可能となる。例えば建築ブロックを３段積み重ねる毎に、アンカーボルトを介してナットにより建築ブロックを相互に締め付けていくことが可能となる。
【００２５】
また、請求項６に記載の建築ブロックは、請求項１〜５のいずれか一つに記載の建築ブロックの外形と同じ外形を備えたことを特徴とする。
【００２６】
すなわち、請求項６にかかる発明は、射出成形により成型されるような、同形外形の建築ブロックにより請求項１〜５に記載の建築ブロックと同様の作用効果を奏する。
【００２７】
また、請求項７に記載の建築ブロック用ユニット板は、複数の中筒体をいずれも同形としてその肉厚もどの面でも同じとした請求項１、２または３に記載の建築ブロックを、建築ブロックの開口方向から見た場合に長辺を形成する一対の辺で、中筒体を構成する一面と外筒体を構成する一面を内接させたまま切り分けた長辺ユニット板と、建築ブロックの開口方向から見た場合に外周の短辺を形成する一対の辺で、中筒体を構成する一面と外筒体を構成する一面を内接させたまま切り分けた短辺ユニット板と、建築ブロックから長辺ユニット板と短辺ユニット板との切り分けにより残った間仕切ユニット板と、により構成したことを特徴とする。
【００２８】
すなわち、請求項７にかかる発明は、製造工程を省略し建築ブロックを平板基調で部品点数の少ない量産可能なユニット板として構成する。また、施工スペースの有効活用も可能となる。同様に、平板基調であるので、製造元の在庫の保管効率やコンテナや船舶などによる移送効率も向上する。これにより、高強度な建築物を簡便かつ経済的に構築できる。なお、切り分けるとは、直線的に切り取る他、以降に示すように嵌合し合う突条とスライド溝が形成されるように凹凸に切り取る態様も含まれるものとする。
【００２９】
また、請求項８に記載の建築ブロック用ユニット板は、請求項７に記載の建築ブロック用ユニット板において、間仕切ユニット板を、外筒体の一面を構成する面を背向にして短辺ユニット板を二枚張り合わせた形状としたことを特徴とする。
【００３０】
すなわち、請求項８にかかる発明は、部品点数をさらに減らし、基本的に二つのユニット板としてさらに量産しやすく低コストな建築用ブロックを構築できる。
【００３１】
また、請求項９に記載の建築ブロック用ユニット板は、請求項７または８に記載の建築ブロック用ユニット板において、長辺ユニット板のうち外筒体を構成する部分と中筒体を構成する部分との前記開口方向の接合端部をスライド溝とし、短辺ユニット板および間仕切ユニット板の前記開口方向の端部をスライド溝に嵌合する突条としたことを特徴とする。
【００３２】
すなわち、請求項９にかかる発明は、容易な組立が可能となる。なお、突条の断面形状またはスライド溝の中空断面形状は特に限定されず、例えば正方形、三角形、台形などをあげることができる。
【００３３】
また、請求項１０に記載の建築ブロック用ユニット板は、請求項７または８に記載の建築ブロック用ユニット板において、長辺ユニット板のうち外筒体を構成する部分と中筒体を構成する部分との前記開口方向の接合端部、短辺ユニット板の前記開口方向の端部、および、間仕切ユニット板の前記開口方向の端部に、スライド溝または突条を設け、建築ブロックを組み立てた場合に当該スライド溝または突条に対応する位置に、当該スライド溝または突条と差し込みあわせて嵌合する突条またはスライド溝を設けたことを特徴とする。
【００３４】
また、請求項１１に記載の建築ブロック用ユニット板は、請求項１０に記載の建築ブロック用ユニット板において、平板またはＴ字具を長辺ユニット板、短辺ユニット板、または、間仕切ユニット板に接合することにより突条を形成したことを特徴とする。
【００３５】
すなわち、請求項１０または請求項１１にかかる発明は、容易な組立が可能となる。なお、突条を平板として取り付ける場合は、適宜ねじ止めまたは釘うちを可能とするように孔を設けてもよいし、突条をＴ字具とする場合は、短辺ユニット板や間仕切ユニット板の角にあてがうようにしてもよい。これらの平板やＴ字具は、例えば金属プレートを加工して作成することができる。
【００３６】
また、請求項１２に記載の建築ブロック用ユニット板は、請求項９、１０または１１に記載の建築ブロック用ユニット板において、スライド溝および突条によって長辺ユニット板、短辺ユニット板、および、間仕切ユニット板が把持され、長辺ユニット板、短辺ユニット板、および、間仕切ユニット板が前記開口方向への抜き差し以外には移動できないように当該スライド溝および突条を構成したことを特徴とする。
【００３７】
すなわち、請求項１２にかかる発明は、釘うちや接着剤による貼り付けを不要とし、各ユニット板が離れず、差し込みのみによる容易な組立が可能となる。
【００３８】
また、請求項１３に記載の建築ブロック用ユニット板は、請求項９、１０、または１１に記載の建築ブロック用ユニット板において、スライド溝の終端部または突条の終端部に突条の進入を止める係止体を設けたことを特徴とする。
【００３９】
すなわち、請求項１３にかかる発明は、さらに容易な組立が可能となる。なお、係止体は突条とスライド溝とにより構成されていてもよい。すなわち、場合によっては、例えば平板やＴ字具が係止体をかねる態様であってもよい。
【００４０】
また、請求項１４に記載の建築ブロック用ユニット板は、請求項７〜１３のいずれか一つに記載の建築ブロック用ユニット板の外形と同じ外形を備えたことを特徴とする。
【００４１】
すなわち、請求項１４にかかる発明は、射出成形により成型されるような、同形外形のユニット板により請求項７〜１３に記載の建築ブロックと同様の作用効果を奏する。
【００４２】
また、請求項１５に記載の建築ブロック用被服部材は、請求項１〜６のいずれか一つに記載の建築ブロックを積み重ねて間仕切その他の壁体を形成した場合に壁体上部を覆う建築ブロック用被覆部材であって、下部は、建築ブロックにおける外筒体と中筒体とのずれにより形成された凹と同形として壁体上部の凸に嵌合する形状とし、上部には、壁体の開口方向に通されるアンカーボルト用の挿入孔と、当該アンカーボルトに螺合させその回動により壁体を床へ押しつける締付ナット用のざぐりと、を設け、さらに、上部内側の長手方向に配線収納用の溝を設けたことを特徴とする。
【００４３】
すなわち、請求項１５にかかる発明は、ナットを埋め込み外観をよくしつつ壁体を締め付けることが可能となる。また、本発明によれば、電線などの各種配線を収容でき、壁体を設ける部屋の配線を露出させなくすることができる。
【００４４】
また、請求項１６に記載の建築ブロック用台座体は、請求項１〜６のいずれか一つに記載の建築ブロックを積み重ねて間仕切その他の壁体を形成した場合に壁体下部にあてがう建築ブロック用台座体であって、上部は、建築ブロックにおける外筒体と中筒体とのずれにより形成された凹に嵌合する凸形状とし、下部は、当該凸形状を立設させる基礎体であって、少なくとも床に接する面を平とし、当該基礎体に、アンカーボルトを通すための挿入孔と、床に建築ブロック用台座体を固着するための釘用ないしネジ用のガイド孔と、を設け、さらに、基礎体の上部長手方向に配線収納用の空間を設けたことを特徴とする。
【００４５】
すなわち、請求項１６にかかる発明は、壁体を床に簡便に固定することが可能となる。なお、アンカーボルトは床から立設させてもよいし、ざぐりを設けて建築ブロック用台座体から上部へ延伸させてもよい。また、配線収納用の空間は、基礎体に溝を設けて形成しても良いし、凸形状を二枚の下駄歯様として長手方向を空洞として確保しても良い。
【００４６】
また、請求項１７に記載に建築ブロック用圧接具は、請求項１〜６のいずれか一つに記載の建築ブロックを積み重ねて間仕切その他の壁体を形成した場合に開口方向に挿入されたアンカーボルトを介して建築ブロックを相互に圧接させる建築ブロック用圧接具であって、断面が中空で左右対称の略菱形形状であり、左右の端部は、稜線を軸に折れ曲がり可能に構成され、かつ、建築ブロック内壁に止着する止着手段を設け、上下の面の中央にはアンカーボルト用の挿入孔を設け、アンカーボルトに螺合させた位置決めナットに続いて、前記挿入孔を通じて建築ブロック用圧接具自身を挿入して位置決めナットに係止させ、さらに、締付用ナットをアンカーボルトに螺合して建築ブロック用圧接具に当接させ、この締付用ナットをさらに回動することにより、止着手段を建築ブロックに圧着させつつ当該建築ブロックを締付用ナットの進行方向に圧接させる構造としたことを特徴とする。
【００４７】
すなわち、請求項１７にかかる発明は、菱形の左右の辺を降伏拡径して摩擦力により建築ブロックを相互に締め上げることができる。なお、止着手段は特に限定されず、例えば稜線外部を歯型に形成する態様であってもよいし、稜線外側に板を取り付けて摩擦力を大きくする態様であってもよい。なお、建築ブロック用圧接具は一方向の両端に止着手段を設けてもよいし、十字形として二方向の両端に止着手段を設けてもよい。
【００４８】
また、請求項１８に記載の壁体建築工法は、請求項１〜６のいずれか一つに記載の建築ブロックを積み重ねて間仕切その他の壁体を構築する壁体構築工法であって、建築ブロックを積み重ねて所望の大きさの壁体を形成する壁体形成工程と、壁体の開口方向に、建築ブロックを相互に圧接させる際に用いる支軸を挿入する支軸挿入工程と、支軸に、建築ブロック用圧接具を係止させる係止具を取り付ける係止具取付工程と、断面が中空で左右対称の略菱形形状である建築ブロック用圧接具であって、左右の端部が、稜線を軸に折れ曲がり可能に構成され、かつ、当該左右の端部に、建築ブロック内壁に止着する止着手段を設け、上下の面の中央には支軸を通す挿入孔を設けた建築ブロック用圧接具を、支軸に通して係止具に当接させる圧接具挿入工程と、支軸に、建築ブロック用圧接具を挟む形で締付具を取り付ける締付具取付工程と、締付具を係止具方向に移動して、止着手段を建築ブロックに圧着させつつ当該建築ブロックを係止具側に嵌合している建築ブロックに圧接させる圧接工程と、を含んだことを特徴とする。
【００４９】
すなわち、請求項１８にかかる発明によれば、本発明の建築ブロックを用いた壁体を強固に接合させあうことが可能となる。なお、支軸は、圧接具の足がかりとなるものであれば特に限定されず、例えばアンカーボルトであってもよい。また、支軸は適宜固定されているものとし、係止具側も圧接具を用いて固定してもよい。
【００５０】
また、請求項１９に記載の壁体固定工法は、請求項１〜６のいずれか一つに記載の建築ブロックを積み重ねて形成した壁体を、天井ボードを介して天井スラブへ固定する壁体固定工法であって、建築ブロックを積み重ねて床から天井ボード手前までの高さの壁体を形成する壁体形成工程と、５面からなる蝶番であって、４つの軸が平行に配され、中央面に対して左の２面および右の２面が対称な蝶番を、両端の面を天井スラブにあてがい、さらに、天井スラブを底辺として形成される台形の上底となる中央面を天井ボードに当接するように調整したのち、蝶番の両端の面を天井スラブに固定する蝶番固定工程と、下方に向けて延伸した調整ボルトが取り付けられた天井用台座体を、天井ボードを挟んで蝶番の中央面に固定する天井用台座体固定工程と、中筒体中に通されて床から立設したアンカーボルトと調整ボルトとを接合し、調整ボルトの回動により壁体が天井スラブへ所定の張力をもって固定されるように調整する壁体固定工程と、壁体と天井ボードとの隙間を被覆ボードで覆い隠す被覆工程と、を含んだことを特徴とする。
【００５１】
すなわち、請求項１９にかかる発明によれば、本発明の建築ブロックを用いた壁体を床と天井に強固に見た目よく固定する。
【００５２】
また、請求項２０に記載の当て蝶番は、請求項１〜６のいずれか一つに記載の建築ブロックを積み重ねて形成した壁体を、天井ボードを介して天井スラブへ固定する際に使用する当て蝶番であって、４つの軸が平行に配された５面からなり、中央面に対して左の２面および右の２面が対称であり、使用に際し、両端の面を天井スラブにあてがって、天井スラブを底辺として形成される台形の上底となる中央面を天井ボードに当接させて、天井ボードにかかる負荷を吸収するように高さを調整可能としたことを特徴とする。
【００５３】
すなわち、請求項２０にかかる発明は、天井ボードが張られた後でも、本発明の建築ブロックを用いた壁体を天井スラブに強固に固定可能となる。
【００５４】
また、請求項２１に記載の建築見積方法は、施主の希望する建築物の種類ないし型を選択する建築物選択工程と、前記建築物選択工程で選択された建築物の縮小模型に必要な、請求項１〜６のいずれか一つに記載の建築ブロックを縮小したモデルブロックまたは請求項７〜１４のいずれか一つに記載の建築ブロック用ユニット板を縮小したモデルユニット板を、施主宛に発送する発送工程と、前記発送工程で発送されたモデルブロックまたはモデルユニット板を使用して作成された実際の縮小模型に基づいて、当該縮小模型に関する情報を入力する模型情報入力工程と、前記模型情報入力工程で入力された情報に基づいて、実際の建築物を建築する際に必要な建築ブロックの個数または建築ブロック用ユニット板の個数、および、付帯的に必要な建築資材を決定する資材決定工程と、前記模型情報入力工程で入力された情報に基づいて、実際の建築物の建築に必要な金額を算出する建築費算出工程と、前記資材決定工程で決定された建築ブロックの個数または建築ブロック用ユニット板の個数、および、付帯的に必要な建築資材、並びに、前記建築費算出工程で算出された金額を、施主宛に通知する通知工程と、を含んだことを特徴とする。
【００５５】
すなわち、請求項２１にかかる発明は、施主側で実物のミニチュアにより自分の所望する建築物を実体験をもって具体的に自由に分解、再構築またはカスタマイズでき、施工主側は施工費用の内訳や必要部材や工期を簡便に算出しやすくなる。これにより、施主の納得できる施工の仕組みを提供することが可能となる。
【００５６】
また、請求項２２に記載の建築見積プログラムは、コンピュータを、建築物選択手段と、発送手段と、模型情報入力手段と、資材決定手段と、建築費算出手段と、通知手段として機能させ、このうち、建築物選択手段が、施主の希望する建築物の種類ないし型を選択し、発送手段が、前記建築物選択手段により選択された建築物の縮小模型に必要な、請求項１〜６のいずれか一つに記載の建築ブロックを縮小したモデルブロックまたは請求項７〜１４のいずれか一つに記載の建築ブロック用ユニット板を縮小したモデルユニット板を、施主宛に発送し、模型情報入力手段が、前記発送手段により発送されたモデルブロックまたはモデルユニット板を使用して作成された実際の縮小模型に基づいて、当該縮小模型に関する情報を入力し、資材決定手段が、前記模型情報入力手段により入力された情報に基づいて、実際の建築物を建築する際に必要な建築ブロックの個数または建築ブロック用ユニット板の個数、および、付帯的に必要な建築資材を決定し、建築費算出手段が、前記模型情報入力手段により入力された情報に基づいて、実際の建築物の建築に必要な金額を算出し、通知手段が、前記資材決定手段により決定された建築ブロックの個数または建築ブロック用ユニット板の個数、および、付帯的に必要な建築資材、並びに、前記建築費算出手段により算出された金額を、施主宛に通知する。
【００５７】
すなわち、請求項２２にかかる発明は、施主側で実物のミニチュアにより自分の所望する建築物を実体験をもって具体的に自由に分解、再構築またはカスタマイズでき、施工主側は施工費用の内訳や必要部材や工期を簡便に算出しやすくなる。これにより、施主の納得できる施工の仕組みを提供することが可能となる。
【発明の効果】
【００５８】
本発明によれば、高強度な建築物を簡便に建築でき、建築に際しての経済性を向上させることができる。また、改修や増改築をしやすい建築物を提供することができる。また、壁体の施工に必要な部材を提供できる。また、施主の納得できる施工の仕組みを提供することもできる。
【発明を実施するための最良の形態】
【００５９】
以下、本発明の実施の形態を図面を参照しながら詳細に説明する。
〔実施の形態１〕
実施の形態１では、本発明を適用した建築ブロックについて説明する。図１は、本発明を適用した建築ブロックを斜め上方向から示した外観構成図である。また、図２は、図１に示した建築ブロックを斜め下方向から示した外観構成図である。図３は、図１および図２に示した建築ブロックの正面図である。図４は、図１および図２に示した建築ブロックの平面図である。建築ブロック１００は、開口方向の長さ（高さ）Ｈがそれぞれ同一であっていずれも直方体形状である外筒体１０１および複数の中筒体１０２により構成され、複数の中筒体１０２はその開口方向をそろえて平行に位置しつつ外筒体１０１から同方向に一定の長さｈだけずれて外筒体１０１に内接し、外筒体１０１の肉厚ｔ１はどの面でも同じであって、中筒体１０２はこの肉厚ｔ１の２倍の間隔を隔てて配置されている。また、建築ブロック１００は、中筒体１０２と中筒体１０２の間に、外筒体１０１からはみ出ない間仕切体１０３を設けている。なお、以降では中筒体１０２の厚みはどの面でもｔ２であるとする。
【００６０】
ここで、開口方向とは、図１、図２または図３に示したように、筒体の口が空いている面を貫く方向を意味する。例えば、直方体の上下の面が空いて筒体を形成している場合にはその上下を結ぶ方向をいう。換言すれば、開口方向とは筒体の軸方向を意味する。
【００６１】
また、直方体形状である外筒体１０１とは、外筒体１０１が長方形の４面（同形の長方形２組（面１１１ａおよび面１１１ｂ並びに面１１２ａおよび面１１２ｂ：図４参照））により筒が形成されていることをいう。
【００６２】
なお、外筒体１０１は外形上中筒体１０２より外側に筒体が観念できればよく、同様に、中筒体１０２は外形上外筒体１０１より内側に筒体が観念できればよい。すなわち、両者は内接面が観念できればよく、物理的に内接面が存在せず一体不可分に形成されていても良いものとする。
【００６３】
また、複数の中筒体１０２が平行に位置するとは、必ずしも複数の中筒体１０２が一列である場合に限定されない。例えば、一列３個の中筒体１０２の列が２列に並列しているような複数列の配列であってもよい。なお、本実施の形態では、建築ブロック１００が一列３個の中筒体１０２を有する場合について説明するが、中筒体１０２は、一列４個であっても、一列２個であってもよく、建築現場に適宜適合した建築ブロックを用いればよい。
【００６４】
また、外筒体１０１の肉厚がどの面でも同じとは、面１１１ａ、面１１１ｂ、面１１２ａおよび面１１２ｂの厚みが実質的に同じであることを意味する。従って、例えば、後述するように、外筒体１０１を構成する面の一部に溝があったり、中筒体１０２と接合させるためのねじ孔が設けられていたりしたとしても、そのような一部分があることをもって同じでないとするものではない。
【００６５】
建築ブロック１００は、このような構成であるので、外筒体１０１と中筒体１０２との間のずれにより凸部１０４と凹部１０５が形成される。この凸部１０４と凹部１０５は同一の大きさとなるので、建築ブロック１００は、開口方向に嵌合可能となる。また、中筒体１０２の外観形状を全て同じにすれば凸部１０４と凹部１０５の差込位置に関係なく複数の建築ブロック１００をはめ合わせることが可能となる。さらに、中筒体１０２の開口方向の断面外周を正方形とすると、建築ブロック１００を９０度にはめ合わせることも可能となる。図５は、建築ブロックを９０度にはめ合わせた際の基本形状を示した外観図である。なお、最底辺などには隙間が生じるが、別途中筒体の個数を調整した建築ブロック１００をはめ込めば良い。
【００６６】
このように、建築ブロック１００は、差込方向および差込位置に依存せず嵌合し合うように構成可能となる。これにより、建築ブロックを縦にも横にも直角方向にも斜めにも連設可能となり、建築の基本形状を全て構築できる。図６は、建築ブロック１００を多数用いて、壁を構成した場合の建築例を示した図である。図示したように、壁２００は、根太２０１の上に多数の建築ブロック１００が梁２０２まで多数積み上げられている。
【００６７】
ここで、通常の木造家屋の壁と実施の形態１の壁２００とを比較して考える。通常の木造家屋には、半間（約９０ｃｍ）〜一間（約１８０ｃｍ）の間に、巾が３寸（約１０ｃｍ）程度の柱が設けられており、場合によっては筋交も設けられている。一方、壁２００は、一見柱や筋交がないように見えるが、建築ブロック１００の実体的な厚みが、６×（ｔ１＋ｔ２）であるのでｔ１＋ｔ２＝１ｃｍであったとしても水平方向に２個の建築ブロック１００があれば実際には通常の木造家屋の柱よりも太い柱をもつ構造となることがわかる。また、筋交についても、図６に示したように、建築ブロック１００は斜め方向に延伸しているともいえるので十分な強度が確保できる。
【００６８】
図７は、壁の他の構成例を梁の部分を中心に示した図である。このうち、図７（ａ）は正面図、図７（ｂ）は平面図、図７（ｃ）は側面図である。図示したように、壁３００には、上下に貫通する筒が建築ブロック１００の組合せに関係なく形成されるが、その筒のうちの一本に充填柱３０３が差し込まれ、その上部に他の凸部１０４とも嵌合する胴差３０１があてがわれている。梁３０２は胴差３０１の上部に渡され、さらに、胴差３０１の上部には、建築ブロック１００の凸部１０４および凹部１０５と同様な凹凸を備えた単ブロック３０５があてがわれている。なお、この応用として胴差３０１の上部に、建築ブロック１００に嵌合する凸部を設け、この上に建築ブロック１００を積み重ねることにより、さらに二階部分の壁も同様に連設させる構成とすることもできる。
【００６９】
なお、使用の態様によっては、梁３０２の端部を単ブロック３０５として一体的に成形してもよく、梁３０２の端部に建築ブロック１００をＴ字形になるように垂直に一体的に形成しても良い。梁３０２をこのような形状とすること、建築の作業効率が向上する。なお、壁３００の他の貫通筒部分には適宜アンカー３０４が胴差３０１と根太（図示せず）との間に渡されている。このような構成とすることで、壁３００にかかる加重を分散させ、また、風圧などのねじれに抗する強度をさらに高めることが可能となる。
【００７０】
なお、胴差３０１のように凸部１０４や凹部１０５を平坦化するには、これと嵌合する形状の部材の反対側を平にすればよく、例えば、図８に示したような形状を採用することができる。なお、実施の形態７では、平坦化部材の他の例として、台座や被覆部材等について説明する。なお、胴差３０１、梁３０２、充填柱３０３なども、適宜縮尺を変えた建築ブロックにより作り上げても良い。
【００７１】
なお、建築ブロック１００は射出成形により製造することができる。例えば、外筒体１０１と間仕切体１０３とを一体的に射出成形し、これと別に中筒体１０２を射出成形し、後で両者を接合するようにして建築ブロック１００を製造できる。
【００７２】
このように、実施の形態１の建築ブロック１００によれば、極めて簡単な構成で、高強度な建築物を簡便に建築できる。また、建築の基本単位が建築ブロック１個なので、改修や増改築をしやすい。なお、建築ブロック１００の素材は特に限定されないが、木材を利用すると質感の高い軽量な建築物となる。建築ブロック１００の大きさとしては、例えば４６ｃｍ×１５ｃｍ×１２ｃｍなどとすることができる。なお、建築ブロックの大きさはこれに限定されず、後述するモデルブロックのように、例えば１／２０としてもよいし、また、１／３として、児童が保育園で独力で子供の家を作れるような大きさとしても良いことはいうまでもない。
【００７３】
さらに、建築ブロック１００は、積み上げて壁や間仕切としての用途にとどまらない。例えば建築ブロック１００を寝かせて積み重ね、床板を構築することもできる。このとき、筒部分（中空部分）に各種配線を通すことができるので、建築ブロック１００によりフリーアクセスフロアを構築することもできる。また、床板とするときには、下側の面を構成する部材を断熱材とし、上側の面を構成する部材を熱伝導率の高い部材もしくは保温性の高い部材とし、筒部分（中空部分）に熱源をはわせて、簡便に床暖房施設を構築することもできる。また、同様に、屋根で瓦を敷く下地板として利用することもでき、この場合も屋根から吸収した熱を、筒部分（中空部分）を通して床側に移動させ、いわゆるエコハウスを構築することもできる。
【００７４】
〔実施の形態２〕
実施の形態２では、本発明を適用した建築ブロック用ユニット板について説明する。建築ブロック１００の外筒体１０１および中筒体１０２を同視すると、建築ブロック１００の外周面は４面により構成されているといえる。図９は、本発明を適用した建築ブロック用ユニット板のうち建築ブロックの外周面を構成する長辺ユニット板の外観構成例を示した図である。図１０は、本発明を適用した建築ブロック用ユニット板のうち建築ブロックの外周面を構成する短辺ユニット板の外観構成例を示した図である。図１１は、本発明を適用した建築ブロック用ユニット板のうち間仕切ユニット板の構成例を示した図である。図１２は、図９図１０および図１１に示したユニット板により構成した建築ブロックを斜め上方向から示した外観構成図である。
【００７５】
建築ブロック１００は、建築ブロック１００の開口方向から見た場合に長辺Ｗ（図１２参照）を形成する一対の辺で、中筒体１０２を構成する一面４１２と外筒体１０１を構成する一面４１１を内接させたまま切り分けた長辺ユニット板４０１と、建築ブロック１００の開口方向から見た場合に外周の短辺Ｄ（図１２参照）を形成する一対の辺で、中筒体１０２を構成する一面４２２と外筒体１０１を構成する一面４２１を内接させたまま切り分けた短辺ユニット板４０２と、建築ブロック１００から長辺ユニット板４０１と短辺ユニット板４０２との切り分けにより残った間仕切ユニット板４０３と、により構成することができる。
【００７６】
以降では、特に断らない限り複数の中筒体１０２をいずれも同形としてその肉厚ｔ２（図４参照）もどの面でも同じであるとする。また、上述の切り分けにより得られるユニット板を総称して建築ブロック用ユニット板４００と称することとする。なお、長辺Ｗとは、複数の中筒体１０２が並んでいる方向の辺を意味し、短辺Ｄとは、複数の中筒体１０２が並んでいる方向と直交する辺を意味する。
【００７７】
また、長辺ユニット板４０１は、上述したように、中筒体１０２を構成する一面４１２と外筒体１０１を構成する一面４１１を内接させたまま建築ブロック１００の一辺を切り分けているが、以降、特に断らない限り、面４１１を含み外筒体１０１を構成する要素を外筒構成体４１１と、面４１２を含み中筒体１０２を構成する要素を中筒構成体４１２として同一の符号をふることとする。
【００７８】
同様に、短辺ユニット板４０２は、上述したように、中筒体１０２を構成する一面４２２と外筒体１０１を構成する一面４２１を内接させたまま建築ブロック１００の一辺を切り分けているが、以降、特に断らない限り、面４２１を含み外筒体１０１を構成する要素を外筒構成体４２１と、面４２２を含み中筒体１０２を構成する要素を中筒構成体４２２として同一の符号をふることとする。
【００７９】
長辺ユニット板４０１について説明する。外筒構成体４１１は、図９に示したように、縁も特に加工を施していない平板形状である。また、中筒構成体４１２は、開口方向の縁をくさび状とし断面が台形に加工された平板形状である。長辺ユニット板４０１は、このように、極めて簡単な平板基調の形状体により構成されているので、量産に適し製造単価を著しく低廉にすることが可能となる。
【００８０】
また、長辺ユニット板４０１は、中筒構成体４１２の台形上底側を外筒構成体４１１に接合し、スライド溝４１３を形成している。スライド溝４１３により短辺ユニット板４０２および間仕切ユニット板４０３の差し込み、保持ないし固定が容易となる。換言すれば、スライド溝４１３は、後述する突条をスライドして嵌合させる構成にした溝ということができる。
【００８１】
短辺ユニット板４０２ついて説明する。外筒構成体４２１は、図１０に示したように、縁も特に加工を施していない平板形状である。また、中筒構成体４２２は、平板基調であり、開口方向の縁をくさび状に突出させスライド溝４１３に嵌合する突条４２３としている。短辺ユニット板４０２は、中筒構成体４２２のくさびと反対側の面を外筒構成体４２１に接合して構成される。短辺ユニット板４０２は、このように、極めて簡単な平板基調の形状体により構成されているので、量産に適し製造単価を低廉にすることが可能となる。なお中筒構成体４２２は、断面を中筒構成体４１２と同様の台形形状とした平板と三角柱２本を接合して構成できるので、製造効率が高まり、単価をさらに低廉にすることができる。
【００８２】
間仕切ユニット板４０３ついて説明する。間仕切ユニット板４０３は、図１１に示したように、外筒構成体４２１を背向にして短辺ユニット板４０２を二枚張り合わせることにより構成される。従って、別途間仕切ユニット板４０３を作出しなくてよく、製造単価を低廉にすることが可能となる。
【００８３】
また、間仕切ユニット板４０３は、二つの建築ブロック１００を長辺方向につなげる橋渡部材として用いることもできる。図１３は、間仕切ユニット板を用いて二つの建築ブロック１００を長辺方向につなげる接続部材として用いた場合の外観図である。間仕切ユニット板４０３を用いることにより、二つの建築ブロック１００を密に接合でき、作業性を高めることが可能となる。
【００８４】
なお、外筒構成体４１１、中筒構成体４１２、外筒構成体４２１、および、中筒構成体４２２の接合方法は特に限定されるものでなく、例えば、接着剤を用いても良いし、ビスにより接合しても良い。また、外筒構成体４１１、中筒構成体４１２、外筒構成体４２１、および、中筒構成体４２２は、それらが観念できればよく、一体的にユニット板（長辺ユニット板４０１、短辺ユニット板４０２および間仕切ユニット板４０３）が形成されていても良いものとする。
【００８５】
このように、実施の形態２の建築ブロック用ユニット板４００によれば、極めて簡単な構成で、高強度な建築物を簡便かつ経済的に建築できる。また、建築の基本単位が平板基調であるので、保管効率や運搬効率が向上する。また、建築ブロック用ユニット板の組合せにより自由度の高い建築物を建築可能となる。なお、建築ブロック用ユニット板４００の素材は特に限定されないが、木材を利用すると質感の高い軽量な建築物となる。このとき、例えば、間伐材などを有効利用することもできる。
【００８６】
〔実施の形態３〕
実施の形態３では、本発明を適用した建築ブロック用ユニット板の他の構成例について説明する。図１４は、本発明を適用した建築ブロック用ユニット板の他の構成例のうち、長辺ユニット板の外観図である。図１５は、本発明を適用した建築ブロック用ユニット板の他の構成例のうち、短辺ユニット板の外観図である。図１６は、本発明を適用した建築ブロック用ユニット板の他の構成例のうち、間仕切ユニット板の外観図である。図１７は、実施の形態３の建築ブロック用ユニット板を組み合わせる様子を示した説明図である。
【００８７】
長辺ユニット板５０１は、図１４に示したように、外筒体１０１を構成する外筒構成体５１１と中筒体１０２を構成する中筒構成体５１２ａ、５１２ｂとが接合して形成されている。外筒構成体５１１には、開口方向の辺の端部に、短辺ユニット板５０２の位置を規制する突条５１４が設けられ、後述する短辺ユニット板５０２との間で第１スライド溝５１３を構成する。中筒構成体５１２ａは、開口方向の辺の片方はくさび形状とし第１スライド溝５１３を形成し、他方の辺は一部を切り欠いて間仕切ユニット板５０３の挿入を規制する係止体５１５を形成している。中筒構成体５１２ｂは、開口方向の両辺の一部を共に切り欠いて間仕切ユニット板５０３の挿入を規制する係止体５１５を形成している。中筒構成体５１２ａおよび中筒構成体５１２ｂの間には第２スライド溝５１６が形成され、後述の間仕切ユニット板を差込可能としている。
【００８８】
短辺ユニット板５０２は、図１５に示したように、外筒体１０１を構成する外筒構成体５２１と中筒体１０２を構成する中筒構成体５２２とが接合して形成されている。外筒構成体５２１は、外筒構成体４２１（図１１参照）に比して、突条５１４の高さ分だけ巾狭となっている。また、中筒構成体５２２の開口方向の両辺端部には、第１スライド溝５１３に嵌合する突条５２３が設けられている。
【００８９】
間仕切ユニット板５０３は、図１６に示したように、一組の長辺ユニット板５０１間を橋渡しする間仕切体５３１と、中筒体１０２を構成する中筒構成体５３２とにより形成される。間仕切体５３１は、外筒体１０１の高さＨと同じ高さをもち、中筒構成体５３２間の厚みは、外筒体１０１の厚みｔ１の２倍としている。このようにすることで、建築ブロック１００の差込自由度を高めることが可能となる。
【００９０】
中筒構成体５３２の開口方向の両辺の一端には、係止体５１５部分の溝に嵌合するくさび形の突条５３３が設けられている。これにより、間仕切体５３１は、第２スライド溝５１６に丁度収まることとなる。
【００９１】
なお、外筒構成体５１１、中筒構成体５１２、外筒構成体５２１、および、中筒構成体５２２の接合方法や間仕切ユニット板５０３の構成部材の接合方法は特に限定されるものでなく、例えば、接着剤を用いても良いし、ビスにより接合しても良い。また、各ユニット板（長辺ユニット板５０１、短辺ユニット板５０２および間仕切ユニット板５０３）の構成部材は、それらが観念できればよく、一体的に形成されていても良いものとする。
【００９２】
このように、実施の形態３の建築ブロック用ユニット板によれば、極めて簡単な構成で、高強度な建築物を簡便かつ経済的に建築できる。また、建築の基本単位が平板基調であるので、例えば、間伐材などを有効利用することができる。特に、建築用ユニット板を差し込み易い形状としているので簡便に高強度な建築ブロックを得ることができ、施主が自分で建築する場合であっても、施工主側が建築する場合であっても、作業効率が高まる。
【００９３】
〔実施の形態４〕
実施の形態４では、本発明を適用した建築ブロック用ユニット板の他の構成例について説明する。図１８は、本発明を適用した建築ブロック用ユニット板の他の構成例のうち、長辺ユニット板の外観図である。図１９は、本発明を適用した建築ブロック用ユニット板の他の構成例のうち、短辺ユニット板の外観図である。図２０は、本発明を適用した建築ブロック用ユニット板の他の構成例のうち、間仕切ユニット板の外観図である。図２１は、実施の形態４の建築ブロック用ユニット板を組み合わせる様子を示した説明図である。
【００９４】
長辺ユニット板６０１は、図１８に示したように、外筒体１０１を構成する外筒構成体６１１と中筒体１０２を構成する中筒構成体６１２ａ、６１２ｂとが接合して形成されている。外筒構成体６１１には、中筒構成体６１２ａとの間の開口方向の端部に第１スライド溝６１３が設けてあり、後述する短辺ユニット板６０２の突条を貫入させる構造としている。また、中筒構成体６１２ａおよび中筒構成体６１２ｂの間には第２スライド溝６１６が形成され、後述の間仕切ユニット板６０３を差込可能としている。ここで、中筒構成体６１２ｂの開口方向の両辺と、これに向かい合う中筒構成体６１２ａの開口方向の辺については一部を切り欠いて第３スライド溝６１５を形成し、間仕切ユニット板６０３を貫入させつつその挿入を所定位置で規制する。なお、ここでは便宜上第３スライド溝と称しているが、第３スライド溝６１５は、間仕切ユニット板６０３の突条の進入を規制する係止体ということもできる。
【００９５】
短辺ユニット板６０２は、図１９に示したように、外筒体１０１を構成する外筒構成体６２１と中筒体１０２を構成する中筒構成体６２２とが接合して形成されている。中筒構成体６２２の二カ所には、金属性の平板６２４が埋め込まれ、第１スライド溝６１３に嵌合する突条６２３が設けられている。なお、図示は省略するが、平板６２４は、木製の短辺ユニット板６０２に適宜ビス留めされているものとする。
【００９６】
間仕切ユニット板６０３は、図２０に示したように、一組の長辺ユニット板６０１間を橋渡しする間仕切体６３１と、中筒体１０２を構成する中筒構成体６３２とにより形成される。間仕切体６３１は、外筒体１０１の高さＨと同じ高さをもち、中筒構成体６３２間の厚みは、外筒体１０１の厚みｔ１の２倍としている。このようにすることで、建築ブロック１００の差込自由度を高めることが可能となる。
【００９７】
中筒構成体６３２と、間仕切体６３１の端部には、金属性の平板６３４が埋め込まれ、第３スライド溝６１５に嵌合係止する突条６３３が形成される。これにより、間仕切体６３１は、第２スライド溝６１６に丁度収まることとなる。なお、図示は省略するが、平板６３４は適宜ビス留めされているものとする。
【００９８】
なお、実施の形態３および実施の形態４に示したように、スライド溝および突条によって長辺ユニット板、短辺ユニット板、および、間仕切ユニット板が把持され、開口方向への抜き差し以外には移動できないように当該スライド溝および突条を構成すれば、建築ブロックの組立がより簡単になる。図２２は、突条とスライド溝との関係を示した建築ブロックの平面図である。図示したように、短辺ユニット板６０２が長辺ユニット板６０１から剥離しないように突条６２３が形成されており、また、短辺ユニット板６０２の平板６２４（突条６２３）と間仕切ユニット板６０３の平板６３４（突条６３３）とが９０度に位置しているので、長辺ユニット板６０１への負荷も軽減され、耐久性も向上する。
【００９９】
短辺ユニット板６０２と長辺ユニット板６０１との嵌合方法は、突条６２３と第１スライド溝６１３に限定されず、また、間仕切ユニット板６０３と長辺ユニット板６０１との嵌合方法は、突条６３３と第３スライド溝６１５に限定されない。すなわち、長辺ユニット板のうち外筒体を構成する部分と中筒体を構成する部分との開口方向の接合端部、短辺ユニット板の開口方向の端部、および、間仕切ユニット板の開口方向の端部に、スライド溝または突条を設け、建築ブロックを組み立てた場合に当該スライド溝または突条に対応する位置に、当該スライド溝または突条と差し込みあわせて嵌合する突条またはスライド溝を設ける態様であれば特に限定されない。
【０１００】
例えば、平板６２４に変えて、Ｔ字金具を中筒構成体６２２に取り付けても良い。図２３は、短辺ユニット板６０２にＴ字金具６２５を取り付け突条６２３を形成した様子を示した外観構成図である。また、図２４は、Ｔ字金具を用いた場合の短辺ユニット板６０２と長辺ユニット板６０１との接合の様子を示した平面図である。図示したように、Ｔ字金具を用いて突条を構成することもできる。
【０１０１】
なお、各ユニット板（長辺ユニット板６０１、短辺ユニット板６０２および間仕切ユニット板６０３）の構成部材は、それらが観念できればよく、一体的に形成されていても良いものとする。
【０１０２】
このように、実施の形態４の建築ブロック用ユニット板によれば、極めて簡単な構成で、高強度な建築物を簡便かつ経済的に建築できる。また、建築の基本単位が平板基調であるので、例えば、間伐材などを有効利用することができる。特に、建築用ユニット板を差し込み易い形状としているので簡便に高強度な建築ブロックを得ることができ、施主が自分で建築する場合であっても、施工主側が建築する場合であっても、作業効率が高まる。また、突条を金属平板等により後から取り付けてユニットを製造しても良く、製造元や作業者（組立者）の選択肢を増やすことが可能となる。
【０１０３】
〔実施の形態５〕
実施の形態５では、本発明を適用した建築ブロックの断面構造の応用例について説明する。図２５は、図１に示した建築ブロックのＡ−Ａ断面図である。建築ブロックは、図２５に示した中筒体１０２の中空部分に、これを塞ぐ横間仕切体を設け、その強度を高めたり、断熱性を確保したりすることが可能となる。
【０１０４】
図２６は、横間仕切体の構成例を示した図である。図２６（ａ）は、中筒体１０２の上面を塞ぐ横間仕切体７０１が設けられた例を示した図である。図２６（ｂ）は、中筒体１０２の筒の中間を塞ぐ横間仕切体７０１が設けられた例を示した図である。図２６（ｃ）は、中筒体１０２の下面を塞ぐ横間仕切体７０１が設けられた例を示した図である。図２６（ｄ）は、中筒体１０２の筒の上面と下面を共に塞ぐ横間仕切体７０１が設けられた例を示した図である。図２６（ｅ）は、中筒体１０２の筒の中空部分を全て塞ぐ横間仕切体７０１が設けられた例を示した図である。なお、この場合は、横間仕切体７０１を軽量部材として建築ブロック１００の強度を向上させつつ軽量化を図るようにしても良い。
【０１０５】
このように、実施の形態５の建築ブロック１００によれば、断熱性の向上や防音性の向上といった付加価値の高い建築物を建てることができる。
【０１０６】
〔実施の形態６〕
実施の形態６では、実施の形態２から実施の形態４に示した建築ブロックの分割方法とは異なる他の分割方法により分割された建築ブロックについて説明する。図２７は、図１に示した建築ブロックを上下に２分割したもののＡ−Ａ断面図である。図示したように、建築ブロック１００は、雄ブロック８０１と雌ブロック８０２により嵌合するように構成されている。図２８は、雄ブロックの構成例を示した図である。図２９は、雌ブロックの構成例を示した図である。図２８と図２９に示した雄ブロックと雌ブロックはどの組合せにより嵌合させてもよいように接触部分の寸法は同じとしている。なお、いずれの雄ブロック８０１および雌ブロック８０２を採用するかは、例えば、射出成形する場合には射出成形しやすいものを選択すればよいし、断熱性を高めたい場合には断熱材を封入しやすいものを選択すればよい。
【０１０７】
なお、図２９に示した雌ブロックのみでも建築用のブロックを構築できる。このとき中筒体で雌ブロックを内部で接合し、壁を雌ブロックの外筒体のみで構成することもできる。
【０１０８】
このように、実施の形態６の建築ブロック１００によれば、接合自由度の高い建築ブロックを作り出すことができる。
【０１０９】
〔実施の形態７〕
実施の形態７では、本発明を適用した建築ブロックにより壁を作り、マンション等のコンクリート建造物で部屋を区切る際の工法や部材について説明する。説明の便宜上、建築ブロック１００を積み上げて作った壁２００（図６参照）を用いるものとする。ここでは、まず、壁２００の台座について説明し、次に、天井に至らない壁（間仕切）の上部を覆う被覆部材について説明する。その後、圧接具、当て蝶番について、順次、工法も交えて説明する。
【０１１０】
（台座）
図３０および図３１は、壁２００の下部にあてがう台座を説明する断面図および外観図である。台座９１０は、上部を、建築ブロック１００における外筒体１０１と中筒体１０２とのずれにより形成された凹部１０５に嵌合する凸形９１１とし、下部は、床面９１３を平とし凸形９１１を立設させる基礎体９１２として構成されている。基礎体９１２に、アンカーボルトＡを通すための挿入孔９１４と、床に台座９１０を固着するためのコンクリート釘Ｃのガイド孔９１５と、が設けられ、さらに、基礎体９１２の上部には長手方向に配線収納用空間９１６を設けた構成としている。なお、以降の図面ではアンカーボルト表面のねじ切りの表示を適宜省略する。
【０１１１】
この構成により、台座９１０は、床に自身を強固に固定し、アンカーボルトＡを介して壁２００を強固に床に固定可能となる。なお、台座の形状はこの他にも種々の態様を採ることができる。図３２および図３３は、壁２００の下部にあてがう台座の他の構成例を説明する断面図および外観図である。図示したように、台座９１０は、金属の平板を加工して製造でき、基礎体９１２から凸形９１１を立ち上げ、挿入孔９１４を設けつつアンカーボルトＡの端部が引っかかるように盛り上げた構成としている。これにより、アンカーボルトＡを打ち込めない場所でも強固に壁２００を床に立設することが可能となる。
【０１１２】
なお、台座９１０は配線収納用空間９１６を設けているので、電線や電話回線やＬＡＮケーブルを露出させずに敷設ことができる。従って、台座９１０を用いることにより、フリーアクセスフロアと同様の作用効果を奏することが可能となる。
【０１１３】
（被覆部材）
図３４は、壁の上部を覆う被覆部材を説明する外観図である。このうち図３４（ａ）は、壁と被覆部材とが接合された様子を建築ブロック１００の短手方向から見た断面図であり、図３４（ｂ）は、壁と被覆部材の接合された様子を建築ブロック１００の長手方向から見た断面図である。被覆部材９２０は、下部が、建築ブロック１００における外筒体１０１と中筒体１０２とのずれにより形成された凹部１０５と同形として壁２００の上部の凸部１０４に嵌合する形状であり、上部には、壁体の開口方向に通されるアンカーボルトＡ用の挿入孔９２１と、アンカーボルトＡに螺合させその回動により壁体を床へ押しつける締付ナットＮ用のざぐり９２２と、を設け、さらに、上部内側の長手方向に配線収納用の溝９２３を設けている。
【０１１４】
この形状により、被覆部材９２０は、壁２００の上部の凹凸を吸収する。なお、ざぐり９２２の深さは、ナットＮの高さより大きくしてナットＮの突出を避けて外観を良くするようにしても良い。また、被覆部材９２０の上面は、特に限定されず、平らでも良いし丸みを帯びていても良い。
【０１１５】
（圧接具）
図３５は、壁を床に強固に固定する際にまたは建築ブロック同士を強固に圧接させあう際に使用する圧接具の使用状態を示した断面図である。また、図３６は、壁を透視して圧接具の使用状態を示した斜視図である。圧接具９３０は、図示したように、壁２００の開口方向に挿入したアンカーボルトＡを介して建築ブロック１００を相互に圧接する。圧接具９３０の断面は、中空であって、左右対称の略菱形としている。左右の端部は稜線９３１を軸として折れ曲がり可能なフラップを形成している。さらに、この端部には、建築ブロック１００の内壁に止着するギザギザの歯９３２を設け、木製の建築ブロック１００に食い込み可能としている。また、圧接具９３０の上面９３３および下面９３４の中央にはアンカーボルトＡ用の挿入孔９３５を設け、圧接具９３０自身をアンカーボルトＡに挿入可能としている。
【０１１６】
圧接具９３０を用いた壁２００の構築工法について説明する。まず、アンカーボルトＡを台座９１０の挿入孔９１４に挿入し、台座９１０を床に固定する（図３２参照）。続いて、建築ブロック１００を積み重ねて壁２００を形成していく。このとき、適宜、例えば、３段目毎に位置決めナットＮｐを取り付け、圧接具９３０をアンカーボルトＡに挿入し、次いで圧接具９３０を挟む形で締付ナットＮｓを取り付ける。圧接具９３０の幅は、歯９３２が建築ブロック１００内壁に当接する程度のものを使用する。続いて、締付ナットＮｓを回動して床方向に移動させる。これにより、歯９３２が建築ブロック１００に食い込んで圧着しつつ建築ブロック１００が床側に押しつけられる。この作業を３段毎に繰り返せば壁を床に強固に固定できる。
【０１１７】
なお、図３６では、十字形として縦横の２方向で止着する圧接具９３０について説明したが、縦方向（または横方向）の一方向で止着する圧接具であってもよい。また、歯９３２の形状も図３６に示したものに限定されない。図３７は、圧接具の歯の他の形態について説明する断面図である。図示したように、稜線９３１にさらに、おろし金のように面状に広がる止着手段９３６を設ける態様であっても良い。なお、接着剤を塗布した平板により止着手段を構成しても良い。
【０１１８】
この他、圧接具９３０を用いなくても、図２６に示したような横間仕切体の中央にアンカーボルト通入用の孔をあけて、適宜ナットを挿入して締め上げるようにして建築ブロック１００を床に圧接させても良い。このとき、建築ブロック１００を積み重ねた際に開口方向に一直線に並ぶ孔とする必要がある。なお、孔は中筒体１０２中の全ての横間仕切体の同位置に設けても良いし、特定の一カ所であっても良い。
【０１１９】
（当て蝶番）
図３８は、壁２００を、天井ボードを介して天井スラブへ固定する際に使用する当て蝶番および当て蝶番を用いた壁の固定工法を説明する説明図である。マンションやビルなどは、コンクリートの天井（天井スラブ）から釣金具を介してＣチャンネルや軽天を這わせ、天井ボードを取り付けている。ここで、天井ボードが形成された後に壁を設ける場合には、壁が天井ボードまでの高さとなり、上部が実質的に固定されないこととなる。また、建築ブロック１００を積み上げて壁２００を形成する場合には、天井ボードと壁との間に空間ができてしまう。当て蝶番は、この不具合を解決する部材である。
【０１２０】
当て蝶番９４０は、４つの軸Ｊが平行に配された５面の平板からなり、中央面９４１に対して左の２面９４２Ｌおよび９４３Ｌと、右の２面９４２Ｒおよび９４３Ｒが対称であり、使用に際し、両端の面９４３Ｌおよび９４３Ｒを天井スラブＣＳにあてがって、天井スラブＣＳを底辺として形成される台形の上底となる中央面９４１を天井ボードＣＢに当接させて、天井ボードＣＢにかかる負荷を吸収するように高さを調整可能としている。当て蝶番９４０には、天井スラブＣＳへコンクリート釘を打ち込めるようにガイド孔９４４が適宜設けられている。また、中央面９４１には、天井ボードＣＢを挟んで天井用台座体９５０を固定するための固定用孔９４５も設けている。
【０１２１】
壁２００の固定工法について説明する。まず、アンカーボルトＡを台座９１０の挿入孔９１４に挿入し、台座９１０を床に固定する（図３２参照）。続いて、建築ブロック１００を積み重ねて床から天井ボードＣＢ手前までの高さの壁２００を形成する。このとき、適宜、圧接具９３０を用いて建築ブロック１００を床側に締め付けても良い。次に、当て蝶番９４０を天井ボードＣＢに当接するように高さ調整したのち両端の面９４３Ｌおよび面９４３Ｒを天井スラブＣＳに固定する。次に、下方に向けて延伸した調整ボルトＦＢが取り付けられた天井用台座体９５０を、天井ボードＣＢを挟んで当て蝶番９４０の中央面９４１へ固定する。固定の方法は特に限定されないが例えば、固定用孔９４５にボルトを差し込んでナットにより固定する方法をあげることができる。
【０１２２】
次いで、アンカーボルトＡと調整ボルトＦＢとを接合し、調整ボルトＦＢの回動により壁２００が天井スラブＣＳへ所定の張力をもって固定されるように調整する。調整ボルトＦＢは、例えば、拡径した頭ＣＨにより天井用台座体９５０に係止させて自由に回動できるようにして、他端をアンカーボルトＡを螺合貫入させるネジ受けＣＡとし、その回動により両者を接合する構造を採用することができる。最後に、壁２００と天井ボードＣＢとの隙間を被覆ボード９６０で覆い隠す。以上により、見た目良く壁を床と天井スラブとの間に強固に固定可能となる。
【０１２３】
〔実施の形態８〕
実施の形態８では、実施の形態１〜７で説明した建築ブロック、建築ブロック用ユニット板、または、それらに付随する部材を用いた建築見積方法を、コンピュータに適用した建築見積プログラムとして説明する。
【０１２４】
図３９は、本発明の建築見積プログラムを搭載したコンピュータのハードウェア構成である。本実施の形態では、コンピュータが施工主側に設置されている場合を説明する。コンピュータ１０００は、そのハードウェア構成として、ＣＰＵ１００１と、ＲＯＭ１００２と、ＲＡＭ１００３と、ハードディスク（ＨＤ）１００４と、グラフィックスカード１００５と、モニタ１００６と、キーボード（Ｋ／Ｂ）１００７と、マウス（ＭＯＵＳＥ）１００８と、ネットワークインターフェースカード（ＮＩＣ）１００９と、を有する。
【０１２５】
ＣＰＵ１００１は、ＯＳとともにコンピュータ１０００全体を制御する。具体的には、例えば、ＣＰＵ１００１は、ハードディスク１００４やＲＯＭ１００２に格納されているプログラムに従って、施主側のコンピュータからの選択操作や情報入力操作に応じた発送指示や見積書の送信処理をおこなう。この他ＣＰＵ１００１は、グラフィックスカード１００５のＶＲＡＭ（画像ＲＡＭ）に対する描画制御、あるいはハードディスク１００４に格納されている作業データをＲＡＭ１００３に一時保存する制御等もおこなう。
【０１２６】
ＲＯＭ１００２は、ブートプログラム等を記憶する。使用の態様によっては、ＲＯＭ１００２は、コンピュータ１０００の制御プログラムやモデルハウスの種類や型を格納しておいてもよい。ＲＡＭ１００３は、ＣＰＵ１００１のワークエリアとして使用する。具体的には、ハードディスク１００４から読み出されたプログラムを含み各種プログラムや、後述の模型情報などを一時的に格納する。
【０１２７】
ハードディスク１００４は、オペレーティングシステム（ＯＳ）、アプリケーションプログラム、ドライバ等の各種ソフトウェアプログラム（ソフトウェア）を記憶する。ハードディスクの構成については後述する。
【０１２８】
グラフィックスカード１００５は、モニタ１００６へ出力すべき画像信号を送出する。グラフィックスカード１００５は、出力すべき画像信号を格納するＶＲＡＭと、処理された画像信号をモニタ１００６へ出力する画像出力インターフェース（画像出力Ｉ／Ｆ）も備える。画像出力Ｉ／Ｆは、ＶＲＡＭに展開されたＲＧＢ画像データをモニタ１００６へ出力する。
【０１２９】
ＮＩＣ１００９は、コンピュータ１０００をインターネットに接続する。ＮＩＣ１００９により、模型情報が施主側のコンピュータから入力でき、着色やＣＡＤ図面起こしなどが可能となる。また、見積をコンピュータ１０００から施主側のコンピュータに送信可能となる。
【０１３０】
この他コンピュータ１０００はフレキシブルディスクドライブ装置、ＣＤ−ＲＯＭドライブ装置、ＭＯドライブ装置等を搭載することも可能であり、また、周辺機器としてプリンタ装置（図示せず）に接続し、見積書や建築物のレイアウト、設計図、色違い建築物などを出力させることもできる。
【０１３１】
ハードディスク１００４は、アプリケーション部１０１０とデータベース部１０２０とにより構成される。アプリケーション部１０１０は、コンピュータ１０００の全体を制御するＯＳ１０１１と、Ｗｅｂブラウザ１０１２と、発送先の住所をデータベース部１０２０から抽出して発送指示をおこなう発送指示プログラム１０１３と、建築ブロック単価や付帯資材の単価や人件費単価などをデータベース部１０２０から抽出して見積算出処理をおこなう見積プログラム１０１４と、を有する。この他アプリケーション部１０１０は、フォトレタッチソフト１０１５、ワープロソフト１０１６、表計算ソフト１０１７、などの各種のソフトウェアを格納する。
【０１３２】
データベース部１０２０は、Ｗｅｂブラウザ１０１２を介して提供するＷｅｂページの構成ファイルを格納する。より具体的には、施主がイメージしやすいように建築物の種類ないし型の見本を多種多様に備える。例えば、同じ構造であっても配色を異ならせたパタンを用意したり、間取り（江戸間、京間、団地サイズ、これらの混合）の異なるパタンを複数用意したり、各種の説明を付記したり、外観図、断面図、設計図、など、同一の建物であっても、見せ方を種々変えて提供できるように多数のファイルを格納する。以降このＷｅｂページの構成ファイルを格納している機能部を見本格納部１０２１と適宜称する。
【０１３３】
また、データベース部１０２０は、施主に関する情報（以下施主情報と適宜称する）も格納する。施主情報は、施主の氏名、年齢、住所、家族構成、建築予定場所、敷地面積、予算などの情報から構成される。以降この施主情報を格納している機能部を施主情報格納部１０２２と適宜称する。施主情報は施主がＷｅｂブラウザ１０１２を介して自身のコンピュータから情報送信する構成としても良い。
【０１３４】
また、データベース部１０２０は施工主側から発送された小型の建築ブロックであるモデルブロックを使用して作成された実際の縮小模型に関する情報（以下模型情報と適宜称する）も格納する。模型情報は、模型を斜めから撮影した写真画像および、各階毎の前後左右上下の６方向から撮影した写真画像、などの情報から構成される。以降、この模型情報を格納している機能部を模型情報格納部１０２３と適宜称する。なお、モデルブロックの縮尺率は例えば、実物の１／２０などとすることができる。
【０１３５】
また、データベース部１０２０は、建築物規模に応じて、付帯的に必要な建築資材のリストや、建築ブロック１００の単価や各種の建築資材の各部材の単価に関するリストも格納する。以降、このリストを格納している機能部を適宜リスト格納部１０２４と適宜称する。
【０１３６】
次に、コンピュータ１０００の機能的構成について説明する。図４０は、コンピュータ１０００の機能的構成を説明する機能ブロック図である。コンピュータ１０００は、その機能的構成として、建築物選択部１１０１と、発送部１１０２と、模型情報入力部１１０３と、資材決定部１１０４と、建築費算出部１１０５と、通知部１１０６と、を有する。
【０１３７】
建築物選択部１１０１は、施主の希望する建築物の種類ないし型を選択する。選択は、施主側のコンピュータから選択できるようにしてもよい。施主は、家を建てようとするとき、建てたい建築物の細部にわたるまで全てのイメージが既にできあがっていることは滅多にない。建築物選択部１１０１である程度の建築物見本（雛形）提供することにより、施主はこれを参考にしつつ細かな部分を詰めていくことができる。建築物選択部１１０１は、例えば、Ｗｅｂブラウザ１０１２、見本格納部１０２１、モニタ１００６、ＮＩＣ１００９などによりその機能を実現することができる。
【０１３８】
発送部１１０２は、建築物選択部１１０１により選択された建築物の縮小模型に必要な建築ブロック１００を縮小したモデルブロックまたは建築ブロック用ユニット板４００を縮小したモデルユニット板を、施主宛に発送する。ここで、発送とは、モデルブロックやモデルユニット板を物理的に移動させることではなく、移動に際して必要な作業をいう。例えば、宛先情報の抽出であったり、宛先の印字であったり、担当部署への発送指示をいう。このとき建築物見本の設計図も同梱すれば施主の作業負担が軽減される。発送部１１０２は、例えば、発送指示プログラム１０１３と、施主情報格納部１０２２などによりその機能を実現することができる。
【０１３９】
モデルブロックやモデルユニット板の縮尺は自由であるが、例えば１／２０のスケールとしてもよい。縮小模型ではあるが、施主は建築物見本を見ながら実体験として実物の建築物を建てることができ、また、作業中にいろいろに思考を巡らし、十分に納得のいく作り込みが可能となる。また独力で家や小屋、物置を建てる場合であっても、縮小模型の作製は予行演習となるので、作業上注意すべき箇所を事前に把握できると共に、失敗も低減することとなる。
【０１４０】
模型情報入力部１１０３は、発送部１１０２により発送されたモデルブロックまたはモデルユニット板を使用して作成された実際の縮小模型に基づいて、その模型情報を入力する。模型情報が各階毎の前後左右上下の６方向から撮影した写真画像である場合には、これを画像処理することにより逆にＣＡＤ図面を起こすことが可能となる。また、使用したモデルブロックやモデルユニット板の個数を算出可能となる。模型情報入力部１１０３は、例えば、見積プログラム１０１４、フォトレタッチソフト１０１５、模型情報格納部１０２３、ＲＡＭ１００３、ＮＩＣ１００９などによりその機能を実現することができる。なお、ＣＡＤ図面を簡単に引くことができれば建築確認申請作業も容易となる。
【０１４１】
資材決定部１１０４は、模型情報に基づいて、実際の建築物を建築する際に必要な建築ブロック１００の個数または建築ブロック用ユニット板４００の個数、および、付帯的に必要な建築資材を決定する。付帯的に必要な建築資材とは、胴差３０１、梁３０２、充填柱３０３、アンカー３０４（図７参照）や、台座９１０、被覆部材９２０、圧接具９３０、当て蝶番９４０、天井用台座体９５０、接着剤、ビス、壁紙、断熱材、防音材などの資材自体および模型情報から得られる家の規模に応じた工具、例えば、脚立、テント、電動釘打機などをいう。資材決定部１１０４は、例えば、見積プログラム１０１４、模型情報格納部１０２３、リスト格納部１０２４、ＲＡＭ１００３などによりその機能を実現することができる。
【０１４２】
建築費算出部１１０５は、模型情報に基づいて、実際の建築物の建築に必要な金額を算出する。これは、模型情報に基づいて建築物見本と照らし合わし、近似した建築見本の施工価格、建築ブロック１００または建築ブロック用ユニット板４００の価格、建坪、平屋と複数階建の別などにより算出可能となる。従って、いわゆるどんぶり勘定となる要素が少なく、施主も費用面についても納得のいく建築物作りが可能となる。なお、独力で建家を建てる場合には、基本的に建築ブロック用ユニット板４００のみ発注すればよいので、極めて簡単に建築費を把握できる。建築費算出部１１０５は、例えば、見積プログラム１０１４、見本格納部１０２１、模型情報格納部１０２３、リスト格納部１０２４、ＣＰＵ１００１などによりその機能を実現することができる。
【０１４３】
通知部１１０６は、資材決定部１１０４により決定された建築ブロック１００の個数または建築ブロック用ユニット板４００の個数、および、付帯的に必要な建築資材、並びに、建築費算出部１１０５により算出された金額を、施主宛に通知する。通知方法は特に限定されないが、例えば、メールにより、必要な部材と単価を記入した見積表を添付して通知しても良いし、郵送による発送でも良い。また、使用の態様によっては、モニタ１００６により表示してもよい。通知部１１０６は、例えば、ＯＳ１０１１、ＲＡＭ１００２、ＮＩＣ１００９などによりその機能を実現することができる。
【０１４４】
以上説明したように、希望する建築物の種類ないし型が選択され、その建築物の縮小模型に必要な建築ブロック１００を縮小したモデルブロック（または建築ブロック用ユニット板４００を縮小したモデルユニット板）を、施主宛に発送することにより、施主は、建築のシミュレーションが可能となる。
【０１４５】
続いて、発送されたモデルブロック（またはモデルユニット板）を使用して作成された実際の縮小模型の模型情報により、実際の建築物を建築する際に必要な建築ブロックの個数（または建築ブロック用ユニット板の個数）、および、付帯的に必要な建築資材が決定でき、同様に、実際の建築物の建築に必要な金額が算出できる。その結果は施主宛に通知される。
【０１４６】
このように、実施の形態８の建築見積方法および建築見積プログラムによれば、施主が施工の一連の流れを通して、建てたい建築物への理解が深まり、自分の納得のいく作り込みをシミュレーションできる。
【産業上の利用可能性】
【０１４７】
本発明の活用例として、建築ブロックの中空部分に断熱材や防音材を入れ、付加価値の高い壁を作ることも可能となる。また、中空部分に熱源やケーブルを這わせることも可能となる。
【図面の簡単な説明】
【０１４８】
【図１】本発明を適用した建築ブロックを斜め上方向から示した外観構成図である。
【図２】図１に示した建築ブロックを斜め下方向から示した外観構成図である。
【図３】図１および図２に示した建築ブロックの正面図である。
【図４】図１および図２に示した建築ブロックの平面図である。
【図５】建築ブロックを９０度にはめ合わせた際の基本形状を示した外観図である。
【図６】建築ブロックを多数用いて、壁を構成した場合の建築例を示した図である。
【図７】壁の他の構成例を梁の部分を中心に示した図である。
【図８】建築ブロックの端部の凹凸を平坦化させる接合部材を示した図である。
【図９】本発明を適用した建築ブロック用ユニット板のうち建築ブロックの外周面を構成する長辺ユニット板の外観構成例を示した図である。
【図１０】本発明を適用した建築ブロック用ユニット板のうち建築ブロックの外周面を構成する短辺ユニット板の外観構成例を示した図である。
【図１１】本発明を適用した建築ブロック用ユニット板のうち間仕切ユニット板の構成例を示した図である。
【図１２】図９図１０および図１１に示したユニット板により構成した建築ブロックを斜め上方向から示した外観構成図である。
【図１３】間仕切ユニット板を用いて二つの建築ブロック１００を長辺方向につなげる接続部材として用いた場合の外観図である。
【図１４】本発明を適用した建築ブロック用ユニット板の他の構成例のうち、長辺ユニット板の外観図である。
【図１５】本発明を適用した建築ブロック用ユニット板の他の構成例のうち、短辺ユニット板の外観図である。
【図１６】本発明を適用した建築ブロック用ユニット板の他の構成例のうち、間仕切ユニット板の外観図である。
【図１７】実施の形態３の建築ブロック用ユニット板を組み合わせる様子を示した説明図である。
【図１８】本発明を適用した建築ブロック用ユニット板の他の構成例のうち、長辺ユニット板の外観図である。
【図１９】本発明を適用した建築ブロック用ユニット板の他の構成例のうち、短辺ユニット板の外観図である。
【図２０】本発明を適用した建築ブロック用ユニット板の他の構成例のうち、間仕切ユニット板の外観図である。
【図２１】実施の形態４の建築ブロック用ユニット板を組み合わせる様子を示した説明図である。
【図２２】突条とスライド溝との関係を示した建築ブロックの平面図である。
【図２３】短辺ユニット板にＴ字金具を取り付け突条を形成した様子を示した外観構成図である。
【図２４】Ｔ字金具を用いた場合の短辺ユニット板と長辺ユニット板との接合の様子を示した平面図である。
【図２５】図１に示した建築ブロックのＡ−Ａ断面図である。
【図２６】横間仕切体の構成例を示した図である。
【図２７】図１に示した建築ブロックを上下に２分割したもののＡ−Ａ断面図である。
【図２８】雄ブロックの構成例を示した図である。
【図２９】雌ブロックの構成例を示した図である。
【図３０】壁の下部にあてがう台座を説明する断面図である。
【図３１】壁の下部にあてがう台座を説明する外観図である。
【図３２】壁の下部にあてがう台座の他の構成例を説明する断面図である。
【図３３】壁の下部にあてがう台座の他の構成例を説明する外観図である。
【図３４】壁の上部を覆う被覆部材を説明する外観図である。
【図３５】壁を床に強固に固定する際にまたは建築ブロック同士を強固に圧接させあう際に使用する圧接具の使用状態を示した断面図である。
【図３６】壁を透視して圧接具の使用状態を示した斜視図である。
【図３７】圧接具の歯の他の形態について説明する断面図である。
【図３８】壁を、天井ボードを介して天井スラブへ固定する際に使用する当て蝶番および当て蝶番を用いた壁の固定工法を説明する説明図である。
【図３９】本発明の建築見積プログラムを搭載したコンピュータのハードウェア構成である。
【図４０】実施の形態６のコンピュータの機能的構成を説明する機能ブロック図である。
【符号の説明】
【０１４９】
１００                建築ブロック
１０１                外筒体
１０２                中筒体
１０３                間仕切体
１０４                凸部
１０５                凹部
１１１ａ，１１１ｂ，１１２ａ，１１２ｂ          面
２００，３００        壁
２０１                根太
２０２，３０２        梁
３０１                胴差
３０３                充填柱
３０４                アンカー
４００                建築ブロック用ユニット板
４０１，５０１，６０１        長辺ユニット板
４０２，５０２，６０２        短辺ユニット板
４０３，５０３，６０３        間仕切ユニット板
４１１，４２１，５１１，５２１，６２１           外筒構成体
４１２，４２２，５１２（５１２ａ，５１２ｂ），５２２，５３２，６１２（６１２ａ，６１２ｂ），６２２，６３２        中筒構成体
４１３，５１３，５１６，６１３，６１５，６１６        スライド溝
４２３，５１４，５２３，５３３，６２３，６３３             突条
５１５                係止体
５３１，６３１                間仕切体
６２４，６３４           平板
６２５  Ｔ字金具
７０１  横間仕切体
８０１  雄ブロック
８０２  雌ブロック
９１０  台座
９１１  凸形
９１２  基礎体
９１３  床面
９１４  挿入孔
９１５  ガイド孔
９１６  配線収納用空間
９２０  被覆部材
９２３  溝
９３０  圧接具
９３１  稜線
９３２  歯
９３３  上面
９３４  下面
９３６  止着手段
９４０  当て蝶番
９４１  中央面
９４４  ガイド孔
９４５  固定用孔
９５０  天井用台座体
９６０  被覆ボード
１０００          コンピュータ
１００４          ハードディスク
１００５          グラフィックスカード
１００６          モニタ
１０１０          アプリケーション部
１０１２          ブラウザ
１０１３          発送指示プログラム
１０１４          見積プログラム
１０１５          フォトレタッチソフト
１０１６          ワープロソフト
１０１７          表計算ソフト
１０２０          データベース部
１０２１          見本格納部
１０２２          施主情報格納部
１０２３          模型情報格納部
１０２４          リスト格納部
１１０１          建築物選択部
１１０２          発送部
１１０３          模型情報入力部
１１０４          資材決定部
１１０５          建築費算出部
１１０６          通知部
Ａ        アンカーボルト
Ｃ        コンクリート釘
ＴＢ     調整ボルト
ＣＢ     天井ボード
ＣＳ     天井スラブ
Ｊ        軸
Ｎ        ナット
Ｎｐ     位置決めナット
Ｎｓ     締付ナット
【図１】
2004278290.tif 000003
【図２】
2004278290.tif 000004
【図３】
2004278290.tif 000005
【図４】
2004278290.tif 000006
【図５】
2004278290.tif 000007
【図６】
2004278290.tif 000008
【図７】
2004278290.tif 000009
【図８】
2004278290.tif 000010
【図９】
2004278290.tif 000011
【図１０】
2004278290.tif 000012
【図１１】
2004278290.tif 000013
【図１２】
2004278290.tif 000014
【図１３】
2004278290.tif 000015
【図１４】
2004278290.tif 000016
【図１５】
2004278290.tif 000017
【図１６】
2004278290.tif 000018
【図１７】
2004278290.tif 000019
【図１８】
2004278290.tif 000020
【図１９】
2004278290.tif 000021
【図２０】
2004278290.tif 000022
【図２１】
2004278290.tif 000023
【図２２】
2004278290.tif 000024
【図２３】
2004278290.tif 000025
【図２４】
2004278290.tif 000026
【図２５】
2004278290.tif 000027
【図２６】
2004278290.tif 000028
【図２７】
2004278290.tif 000029
【図２８】
2004278290.tif 000030
【図２９】
2004278290.tif 000031
【図３０】
2004278290.tif 000032
【図３１】
2004278290.tif 000033
【図３２】
2004278290.tif 000034
【図３３】
2004278290.tif 000035
【図３４】
2004278290.tif 000036
【図３５】
2004278290.tif 000037
【図３６】
2004278290.tif 000038
【図３７】
2004278290.tif 000039
【図３８】
2004278290.tif 000040
【図３９】
2004278290.tif 000041
【図４０】
2004278290.tif 000042